(57)【特許請求の範囲】
【請求項１】
装置であって、
アンテナに接続された第１の端子、受信信号経路に接続された第２の端子、および送信信号経路に接続された第３の端子を有する位相シフトカプラと、
前記第２の端子に接続され、前記送信信号経路を選択的にイネーブルにするように構成された第１のスイッチと、
前記第３の端子に接続され、前記受信信号経路を選択的にイネーブルにするように構成された第２のスイッチと、
を備える、装置。
【請求項２】
前記位相シフトカプラは、９０度ハイブリッドカプラを備える、請求項１に記載の装置。
【請求項３】
前記第１のスイッチは、前記送信信号経路をイネーブルにするために、前記受信信号経路を接地に接続するように構成される、請求項１に記載の装置。
【請求項４】
前記第２のスイッチは、前記受信信号経路をイネーブルにするために、前記送信信号経路を接地に接続するように構成される、請求項１に記載の装置。
【請求項５】
前記第１および第２のスイッチは、第１および第２のスイッチ制御信号に基づいて動作するように構成される、請求項１に記載の装置。
【請求項６】
前記第２の端子は、前記受信信号経路上の増幅器に結合される、請求項１に記載の装置。
【請求項７】
前記増幅器と前記第２の端子との間で接続された受信経路整合回路をさらに備える、請求項６に記載の装置。
【請求項８】
前記第３の端子は、前記送信信号経路上の増幅器に結合される、請求項１に記載の装置。
【請求項９】
前記増幅器と前記第３の端子との間で接続された送信経路整合回路をさらに備える、請求項８に記載の装置。
【請求項１０】
前記受信信号経路および前記送信信号経路は、ミリメートル波長周波数で動作するように構成される、請求項１に記載の装置。
【請求項１１】
装置であって、
アンテナに並列整合を提供するように位相シフトするための手段と、ここで、前記位相シフトするための手段は、前記アンテナに接続された第１の端子、受信信号経路に接続された第２の端子、および送信信号経路に接続された第３の端子を備える、
前記第２の端子に接続された前記送信信号経路をイネーブルにするための手段と、
前記第３の端子に接続された前記受信信号経路をイネーブルにするための手段と、  を備える、装置。
【請求項１２】
前記位相シフトするための手段は、９０度ハイブリッドカプラを備える、請求項１１に記載の装置。
【請求項１３】
前記送信信号経路をイネーブルにするための前記手段は、送信動作をイネーブルにするために、前記受信信号経路を接地に結合するように構成された第１のスイッチを備える、請求項１１に記載の装置。
【請求項１４】
前記受信信号経路をイネーブルにするための前記手段は、受信動作をイネーブルにするために、前記送信信号経路を接地に結合するように構成された第２のスイッチを備える、請求項１３に記載の装置。
【請求項１５】
前記第１および第２のスイッチは、第１および第２のスイッチ制御信号に基づいて動作するように構成される、請求項１４に記載の装置。
【請求項１６】
前記受信信号経路に結合された増幅するための手段をさらに備える、請求項１１に記載の装置。
【請求項１７】
前記送信信号経路に結合された増幅するための手段をさらに備える、請求項１１に記載の装置。
【請求項１８】
前記受信信号経路および前記送信信号経路は、ミリメートル波長周波数で動作するように構成される、請求項１１に記載の装置。
【発明の詳細な説明】
【背景技術】
【０００１】
[0001]  本願は、一般にアナログフロントエンド（analog front ends）の動作および設計に関し、より具体的には、アナログフロントエンドを使用するための並列整合ネットワーク（concurrent matching networks）の動作および設計に関する。
【０００２】
[0002]  ワイヤレスデバイスは、より小さなチップおよび回路基板に組み込まれるより多くの回路構成の結果として、さらに複雑さを増している。送信信号経路と受信信号経路との間でアンテナを共有することは、システムオンチップの環境においてピンの総数を減らすための一般的な方法である。しかしながら、ミリメートル（ＭＭ）波周波数では、これは、信号経路間のアンテナを共有するために使用されるいずれかのスイッチから生じる付加損失（additional loss）が結果として起こり得る。この問題を解決するための１つの方法は、受信動作のために１つのチップ、および、送信動作のために１つのチップという、２つのチップを使用することである。しかしながら、２つのチップの解決法は、デバイスの空間制約の理由から、可能ではないだろう。また、アンテナを共有するために従来の電力コンバイナ／スプリッタを使用することも可能である。しかしながら、コンバイナ／スプリッタは通常、約３ｄＢの損失を挿入し（insert about 3dB of loss）、それは容認できないものである。
【０００３】
[0003]  従って、必要とされるものは、空間要求を軽減するために、スイッチ損失を取り除き、且つ２つのチップの解決法を使用することを避ける、アンテナを共有するメカニズムである。
【図面の簡単な説明】
【０００４】
[0004］  本明細書で説明される前述の態様は、添付図面と併せて考慮されるとき、以下の説明を参照することによって、より容易に明らかになるだろう。
【図１】[0005]  図１は、Ｔｘ／Ｒｘアンテナ共有のための並列整合ネットワークの例示的な実施形態を備えるトランシーバ部を示す。
【図２】[0006]  図２は、図１に示される並列整合ネットワークの例示的な詳細な実施形態を示す。
【図３】[0007]  図３は、並列整合ネットワークの例示的な代替の実施形態を示す。
【図４】[0008]  図４は、並列整合ネットワークの例示的な代替の実施形態を示す。
【図５】[0009]  図５は、並列整合ネットワーク装置の例示的な実施形態を示す。
【詳細な説明】
【０００５】
[0010]  添付図面に関連して下記で説明される詳細な説明は、本発明の例示的な実施形態の説明として意図され、本発明が実施され得る唯一の実施形態を表すことを意図されるものではない。本明細書の全体にわたって用いられる「例示的な（exemplary）」という用語は、「例、実例、または例示としての役割を果たすこと」を意味し、他の例示的な実施形態に対して、必ずしも好ましいまたは有利であると解釈されるべきではない。詳細な説明は、本発明の例示的な実施形態の完全な理解を提供することを目的とした特定の詳細を含む。本発明の例示的な実施形態は、これらの特定の詳細を用いなくとも実現され得ることが当業者に明らかになるだろう。いくつかの実例では、周知の構造およびデバイスが、本明細書に示される例示的な実施形態の新規性を曖昧にすることを避けるために、ブロック図形式で示される。
【０００６】
[0011]  図１は、ワイヤレスデバイスにおけるＴｘ／Ｒｘアンテナ共有のための並列整合ネットワーク１０４の例示的な実施形態を備えるトランシーバ部１００を示す。例えば、並列整合ネットワーク１０４は、ミリメータ（ＭＭ）波長周波数（すなわち、６０ＧＨｚ）で動作するのに適している。整合ネットワーク１０４は、Ｔｘ経路１０６およびＲｘ経路１０８をアンテナ１０２に接続するように動作する。Ｒｘ整合回路１１０は、Ｒｘ経路１０８上の信号を受信し、受信機回路の一部分である低雑音増幅器（ＬＮＡ）１１２にこれらの信号を入力するために、並列整合ネットワーク１０４で見られるような適切な入力インピーダンスを提供するように構成される。送信機の一部分である電力増幅器（ＰＡ）１１４は、Ｔｘ整合回路１１６に送信信号を出力するように構成され、Ｔｘ整合回路１１６は、送信信号経路１０６上の整合ネットワーク１０４にこれらの送信信号を入力するために、ＰＡ１１４で見られるような適切な入力インピーダンスを提供する。下記で開示される様々な例示的な実施形態では、並列整合ネットワーク１０４は、一連のスイッチを使用することなく、アンテナ１０２に低損失並列整合を提供する（provide low loss concurrent matching to）ように動作する。
【０００７】
[0012]  図２は、並列整合ネットワーク１０４の例示的な詳細な実施形態を示す。並列整合ネットワーク１０４は、４つの端子（Ａ−Ｄ）を有する位相シフトカプラ（a phase shifting coupler）２０２を備える。例示的な実施形態では、位相シフトカプラ２０２は、９０度ハイブリッドカプラ（a 90-degrees hybrid coupler）を備える。端子（Ｃ）は、アンテナ１０２に接続される。端子（Ｂ）は、Ｒｘ整合回路１１０に接続される。端子（Ｄ）は、端子（Ｄ）に関連付けられた信号損失が存在しない（there is no signal loss）ように、ハイブリッドカプラ２０２へ電力を反射して戻す（reflect power back into）ために接地に接続される（connected to ground）。端子（Ａ）は、Ｔｘ整合回路１１６に接続される。９０度ハイブリッドカプラ２０２は、銅またはアルミニウムなどの任意の材料により実装され（implemented in）、且つ送信ラインベースまたは変圧器ベースなどの任意のトポロジで実装されることができ、また９０度位相シフト（a 90-degree phase shift）を提供するように構成されることに留意されたい。
【０００８】
[0013]  Ｒｘイネーブルスイッチ（an Rx enable switch）２０６は、端子Ａに接続され、Ｔｘイネーブルスイッチ（a Tx enable switch）２０８は、端子Ｂに接続される。イネーブルスイッチがアクティベートされるとき、これらは、関連付けられた端子を接地に結合し、それによって、それらの関連付けられた信号経路をディセーブルにする。例示的な実施形態では、スイッチは、並列整合回路１０４が送信動作のために構成されるか、受信動作のために構成されるかを制御するために、ベースバンドプロセッサからの、またはデバイスにおける他のエンティティからの出力である、Ｔｘイネーブル信号２１６およびＲｘイネーブル信号２１４によって制御される。
【０００９】
[0014]  送信モード動作中、電力増幅器１１４は、整合回路１１６に送信信号を出力する。整合回路１１６は、９０度ハイブリッドカプラ２０２の端子Ａに送信信号を入力するために、ＰＡ１１４で見られるような最適入力インピーダンス（すなわち、動作電力レベルに基づいて約１０オーム）を提供する。Ｔｘイネーブルスイッチ２０８は、端子Ｂを接地に結合するためにＴｘイネーブル（Ｔｘ＿ｅｎ）信号２１６によってアクティベートされ、それによって、Ｒｘ整合回路１１０への信号パスをディセーブルにする。Ｒｘイネーブル（Ｒｘ＿ｅｎ）信号２１４は、端子Ａが接地から切り離される（decoupled from ground）ように、Ｒｘイネーブルスイッチ２０６をデアクティベートするように設定される。
【００１０】
[0015]  ９０度ハイブリッドカプラ２０２の端子Ａで受信された送信信号は、送信信号経路２１８で示されるように端子Ｃへと方向付けられる。端子Ｃに接続されたアンテナ１０２は、送信信号を送信するように動作する。端子ＤおよびＢが効率的に接地に結合されるため、これらの端子における信号電力は、ハイブリッドデバイス２０２へと反射して戻り（reflected back into）、これらの端子を通る信号損失は存在しない。そのため、ハイブリッドデバイス２０２は、スイッチまたは電力損失なしでアンテナ１０２へと送信信号を方向付ける。
【００１１】
[0016]  受信モード動作中、Ｒｘイネーブルスイッチ２０６は、端子Ａを接地に結合するためにＲｘイネーブル信号２１４によってアクティベートされ、それによって、Ｔｘ整合回路１１６からの信号経路をディセーブルにする。Ｔｘ＿ｅｎ信号２１６は、端子Ｂが接地から分離される（uncoupled from ground）ように、Ｔｘイネーブルスイッチ２０８をデアクティベートするように設定される。アンテナ１０２によって受信された信号は、ハイブリッドカプラ２０２の端子Ｃに入力され、受信信号経路２２０で示されるように端子Ｂへと方向付けられる。端子ＤおよびＡが効率的に接地される（grounded）ため、これらの端子における信号電力は、ハイブリッドカプラ２０２へと反射して戻り、これらの端子を通る信号損失は存在しない。
【００１２】
[0017]  ９０度ハイブリッドカプラ２０２の端子Ｂは、Ｒｘ整合回路１１０に結合され、それは、低雑音増幅器（ＬＮＡ）１１２にこれらの受信された信号を入力するために、ハイブリッドカプラ２０２で見られるような適切な入力インピーダンス（すなわち５０オーム）を提供する。そのため、９０度ハイブリッドカプラ２０２は、スイッチまたは電力損失なしでＬＮＡ１１２へと受信信号を方向付ける。
【００１３】
[0018]  例示的な実施形態では、９０度ハイブリッドカプラ２０２の端子Ｄは、実装に応じて、接地に短絡される（shorted to ground）か、フローティングされる（floated）か、または５０オームよりももっと大きいインピーダンスで接続される。例示的な実施形態では、スイッチ２０６はまた、Ｔｘ整合回路１１６に統合されることができ、ＰＡ側で並列整合ネットワーク１０４を完全にスイッチレスにする。これはまた、損失をさらに軽減するように動作する。
【００１４】
[0019]  本明細書内の様々な例示的な実施形態は、９０度ハイブリッドカプラ２０２を使用することによって、Ｔｘ／Ｒｘ信号経路が同じアンテナを共有することを可能にするための並列整合ネットワーク１０４を開示する。例示的な実施形態では、受信信号経路および送信信号経路は、ミリメートル波長周波数（millimeter wavelength frequencies）（すなわち、６０ＧＨｚ）で動作するように構成される。受動的な（passive）９０度ハイブリッドカプラ２０２は、従来の回路の信号経路と直列に使用される単極双投接点（a single pole double throw）（ＳＰＤＴ）スイッチと比較すると、より低い損失を有する（すなわち、ＳＰＤＴスイッチは通常、オフチップコンポーネントに関して６０ＧＨｚにおいて２ｄＢの損失を有する）。送信および受信信号経路の両方から直列ＳＰＤＴスイッチを取り除くことによって、より低い損失が得られる。例示的な実施形態は、広い用途を有しており、オンチップおよびオフチップの実装の両方に適している。従って、例示的な実施形態では、並列整合ネットワーク１０４は、アンテナに接続された第１の端子、受信信号経路に接続された第２の端子、および送信信号経路に接続された第３の端子を有する９０度ハイブリッドカプラを備える。並列整合ネットワーク１０４はまた、アンテナと通信するために、受信信号経路および送信信号経路のうちの１つをイネーブルにするように構成された少なくとも１つのスイッチを備える。
【００１５】
［代替の例示的な実施形態］
[0020]  様々な例示的な実施形態では、多様な低損失並列整合ネットワークは、９０度ハイブリッドカプラを利用するように構成されることができる。これら代替の例示的な実施形態のうちの２つが下記に説明される。
【００１６】
[0021]  図３は、並列整合ネットワーク３０２の代替の例示的な実施形態を示す。並列整合ネットワーク３０２は、４つの端子（Ａ−Ｄ）を有する９０度ハイブリッドカプラ３０４を備える。端子Ｃは、アンテナ１０２に接続される。端子Ｂは、トランジスタ３０６に接続される。端子Ｄは、Ｔｘ整合回路１１６に接続され、端子Ａは、Ｒｘ整合回路１１０に接続される。
【００１７】
[0022]  この例示的な実施形態では、ベースバンドプロセッサまたはデバイスにおける他のエンティティから生成されるＲｘイネーブル信号２１４は、端子ＢおよびＤを接地に選択的に結合するためにトランジスタ２０６、３０６を制御するように構成される。Ｔｘ＿ｅｎ信号２１６は、端子Ａを接地に選択的に結合するためにトランジスタ２０８を制御するように構成される。
【００１８】
[0023]  受信モード動作中、トランジスタ２０６、３０６は、端子ＢおよびＤがデバイス３０４へ電力を反射して戻すために接地に結合されるように、Ｒｘイネーブル信号２１４によってアクティベートされ、その結果、これらの端子に関連付けられた信号損失は存在しない。Ｔｘ＿ｅｎ信号２１６は、端子Ａが接地から切り離されるように、トランジスタ２０８をデアクティベートするように設定される。この構成では、アンテナ１０２によって受信された信号は、ハイブリッドカプラ３０４の端子Ａを通してＲｘ整合回路１１０に流れ、その後、ＬＮＡ１１２に流れる。
【００１９】
[0024]  送信モード動作中、トランジスタ２０６、３０６は、端子ＢおよびＤが接地から切り離されるように、Ｒｘイネーブル信号２１４によってデアクティベートされる。Ｔｘ＿ｅｎ信号２１６は、端子Ａが接地に結合されるように、トランジスタ２０８をアクティベートするように設定される。この構成では、ＰＡ１１４からの送信信号は、Ｔｘ整合回路１１６を通って流れ、その後、アンテナ１０２による送信のためにハイブリッドカプラ３０４の端子Ｄを通って流れる。例示的な実施形態では、トランジスタ３０６は、ハイブリッドカプラ３０４へと電力を反射して戻すために、送信モード中、端子Ｂがフロートする（float）ように、Ｒｘ＿ｅｎ信号２１４によってデアクティベートされる。別の実施形態では、端子Ｂは、端子Ｂへの５０オームよりもずっと高いインピーダンスに結合される。
【００２０】
[0025]  図４は、並列整合ネットワーク４０２の例示的な代替の実施形態を示す。並列整合回路４０２は、４つの端子（Ａ−Ｄ）を有する９０度ハイブリッドカプラ４０４を備える。端子Ｃは、アンテナ１０２に接続される。端子Ｂは、トランジスタ４０６に接続される。端子Ｄは、Ｔｘ整合回路１１６に接続され、端子Ａは、接地に接続される。
【００２１】
[0026]  例示的な実施形態では、Ｒｘ＿ｅｎ信号２１４は、受信機動作モードか、送信動作モードかのいずれかをイネーブルにする役割を果たす。例えば、Ｒｘ＿ｅｎ信号２１４は、トランジスタ２０６とトランジスタ４０６の両方を制御するように結合される。動作の受信モードは、Ｒｘ＿ｅｎ信号２１４がトランジスタ２０６、４０６をアクティベートするように設定されるときにアクティベートされる。この構成は、トランジスタ２０６を通して端子Ｄを接地に結合し、端子ＢをＲｘ整合回路１１０に結合する。この構成は、受信信号がアンテナ１０２からＬＮＡ１１２へ流れることを可能にする。
【００２２】
[0027]  動作の送信モードは、Ｒｘ＿ｅｎ信号２１４がトランジスタ２０６、４０６をデアクティベートするように設定されるときにアクティベートされる。この構成は、接地から端子Ｄを切り離し、Ｒｘ整合回路１１０から端子Ｂを切り離す。この構成は、送信信号がＰＡ１１４からアンテナ１０２へ流れることを可能にする。そのため、整合回路４０２は、Ｒｘ＿ｅｎ信号２１４のみを使用して送信モードと受信モードとの間を切り替えるように構成される。
【００２３】
[0028]  図５は、並列整合ネットワーク装置５００の例示的な実施形態を示す。例えば、装置５００は、図２で示される整合ネットワーク１０４に適している。一態様では、装置５００は、本明細書で説明されるような機能を提供するように構成される１つまたは複数のモジュールで実装される。例えば、一態様では、各モジュールは、ハードウェアおよび／またはハードウェア実行ソフトウェアを備える。
【００２４】
[0029]  装置５００は、アンテナに並列整合を提供するために位相シフトするための手段（５０２）を備える第１のモジュールを備え、位相シフトするための手段は、アンテナに接続された第１の端子、受信信号経路に接続された第２の端子、送信信号経路に接続された第３の端子、および接地に接続された第４の端子を備える。一態様では、位相シフトするための手段は、９０度ハイブリッドカプラ２０２を備える。
【００２５】
[0030]  装置５００は、アンテナと通信するために受信信号経路および送信信号経路のうちの少なくとも１つをイネーブルにするための手段（５０４）を備える第２のモジュールを備え、それは、一態様では、トランジスタ２０６および２０８を備える。
【００２６】
[0031]  当業者は、情報および信号が様々な異なる技術および技法のうちのいずれかを使用して表さるかまたは処理され得ることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。トランジスタのタイプおよび技術は、同じ結果を達成するために、置き換えられるか、再配置されるか、または他の方法で修正され得ることに、さらに留意されたい。例えば、ＰＭＯＳトランジスタを利用して示される回路は、ＮＭＯＳトランジスタを使用するように修正されることができ、逆もまた同様である。そのため、本明細書に開示される増幅器は、様々なトランジスタのタイプおよび技術を使用して実現されることができ、図面に例示されるこれらトランジスタのタイプおよび技術に限定されない。例えば、ＢＪＴ、ＧａＡｓ、ＭＯＳＦＥＴのようなトランジスタのタイプ、または任意の他のトランジスタ技術が使用され得る。
【００２７】
[0032]  当業者は、本明細書で開示された実施形態に関連して説明された様々な例示的な論理ブロック、モジュール、回路、およびアルゴリズムステップは、電子ハードウェア、コンピュータソフトウェア、または両方の組み合わせとして実装され得ることをさらに理解するだろう。ハードウェアおよびソフトウェアのこの互換性を明確に例示するために、様々な例示的なコンポーネント、ブロック、モジュール、回路、およびステップが、一般にそれらの機能の観点から上記で説明されている。このような機能が、ハードウェアとして実装されるか、あるいはソフトウェアとして実装されるかは、特定のアプリケーションおよびシステム全体に課せられている設計制約に依存する。当業者は、各特定のアプリケーションに関して、多様な方法で、説明された機能を実装することができるが、このような実装の決定は、本発明の例示的な実施形態の範囲から逸脱を引き起こしていると解釈されるべきではない。
【００２８】
[0033]  本明細書に開示された実施形態に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、あるいは本明細書で説明される機能を実行するように設計されるこれらの任意の組み合わせで、実装または実行され得る。汎用プロセッサはマイクロプロセッサであり得るが、代替では、プロセッサは任意の従来のプロセッサ、コントローラ、マイクロコントローラ、またはステートマシンであり得る。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、あるいは任意の他のこのような構成として実装され得る。
【００２９】
[0034]  本明細書で開示される態様に関連して説明された方法またはアルゴリズムのステップは、直接ハードウェアにおいて、プロセッサによって実行されるソフトウェアモジュールにおいて、またはこれら２つの組み合わせにおいて、具現化され得る。ソフトウェアモジュールは、ランダムアクセスメモリ（ＲＡＭ）、フラッシュメモリ、読み出し専用メモリ（ＲＯＭ）、電気的プログラマブルＲＯＭ（ＥＰＲＯＭ）、電気的消去可能プログラマブルＲＯＭ（ＥＥＰＲＯＭ（登録商標））、レジスタ、ハードディスク、リムーバルディスク、ＣＤ−ＲＯＭ、または当該技術分野において周知である任意の他の形式の記憶媒体において存在し得る。例示的な記憶媒体は、プロセッサが記憶媒体から情報を読み取り、また記憶媒体に情報を書き込むことができるように、プロセッサに結合される。代替では、記憶媒体はプロセッサに統合され得る。プロセッサおよび記憶媒体はＡＳＩＣに存在し得る。ＡＳＩＣは、ユーザ端末内に存在し得る。代替では、プロセッサおよび記憶媒体は、ユーザ端末内に個別構成要素として存在し得る。
【００３０】
[0035]  １つまたは複数の例示的な実施形態では、説明された機能は、ハードウェア、ソフトウェア、ファームウェア、またはこれらの任意の組み合わせで実装され得る。ソフトウェアで実装される場合、機能は、コンピュータ読取可能媒体上で、１つまたは複数の命令またはコードとして送信または記憶され得る。コンピュータ読取可能媒体は、１つの場所から別の場所へのコンピュータプログラムの転送を容易にする任意の媒体を含む通信媒体と非一時的なコンピュータ記憶媒体との両方を含む。非一時的な記憶媒体は、コンピュータによってアクセスさることができる任意の利用可能な媒体であり得る。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラムコードを記憶または搬送するために使用されることができ、かつコンピュータによってアクセスされることができる他の任意の媒体を備え得る。また、任意の接続は、厳密にはコンピュータ読取可能媒体と呼ばれる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のようなワイヤレス技術を使用している他の遠隔ソースから送信される場合には、同軸ケーブル、光ファイバーケーブル、ツイストペア、ＤＳＬ、あるいは赤外線、無線、およびマイクロ波のようなワイヤレス技術は、媒体の定義に含まれる。本明細書で使用されるとき、ディスク（disk）およびディスク（disc）は、コンパクトディスク（ＣＤ）、レーザディスク（登録商標）、光ディスク、デジタル多目的ディスク（ＤＶＤ）、フロッピー（登録商標）ディスク、およびｂｌｕ−ｒａｙ（登録商標）ディスクを含み、ここで、ディスク（disks）が通常磁気的にデータを再生する一方、ディスク（discs）は、レーザを用いて光学的にデータを再生する。上記の組み合わせもまた、コンピュータ読取可能媒体の範囲内に含まれるべきである。
【００３１】
[0036]  開示された例示的な実施形態の説明は、いずれの当業者も、本発明の製造または使用を可能にするように提供される。これらの例示的な実施形態への様々な修正は、当業者に対して容易に明らかであり、本明細書に定義された一般的な原理は、本発明の精神または範囲から逸脱することなく、他の実施形態にも適用され得る。従って、本発明は、本明細書に示される例示的な実施形態に限定されることを意図されるものではなく、本明細書に開示される原理および新規な特徴と一致する最も広い範囲を与えられるべきものである。
以下に、本願出願の当初の特許請求の範囲に記載された発明を付記する。
［Ｃ１］
装置であって、
アンテナに接続された第１の端子、受信信号経路に接続された第２の端子、および送信信号経路に接続された第３の端子を有する位相シフトカプラと、
前記アンテナと通信するために、前記受信信号経路と前記送信信号経路のうちの１つをイネーブルにするように構成された少なくとも１つのスイッチと
を備える、装置。
［Ｃ２］
前記位相シフトカプラは、９０度ハイブリッドカプラを備える、Ｃ１に記載の装置。
［Ｃ３］
前記９０度ハイブリッドカプラはさらに、接地に接続された第４の端子を備える、Ｃ２に記載の装置。
［Ｃ４］
前記少なくとも１つのスイッチは、前記送信信号経路をイネーブルにするために、前記受信信号経路を接地に接続するように構成された第１のスイッチを備える、Ｃ１に記載の装置。
［Ｃ５］
前記少なくとも１つのスイッチは、前記受信信号経路をイネーブルにするために、前記送信信号経路を接地に接続するように構成された第２のスイッチを備える、Ｃ３に記載の装置。
［Ｃ６］
第１および第２のスイッチは、第１および第２のスイッチ制御信号に基づいて動作するように構成される、Ｃ４に記載の装置。
［Ｃ７］
前記第２の端子は、前記受信信号経路上の増幅器に結合される、Ｃ１に記載の装置。
［Ｃ８］
増幅器と前記第２の端子との間で接続された受信経路整合回路をさらに備える、Ｃ６に記載の装置。
［Ｃ９］
前記第３の端子は、前記送信信号経路上の増幅器に結合される、Ｃ１に記載の装置。
［Ｃ１０］
前記増幅器と前記第３の端子との間で接続された送信経路整合回路をさらに備える、Ｃ８に記載の装置。
［Ｃ１１］
前記受信信号経路および前記送信信号経路は、ミリメートル波長周波数で動作するように構成される、Ｃ１に記載の装置。
［Ｃ１２］
装置であって、
アンテナに並列整合を提供するように位相シフトするための手段と、ここで、前記位相シフトするための手段は、前記アンテナに接続された第１の端子、受信信号経路に接続された第２の端子、および送信信号経路に接続された第３の端子を備える、
前記アンテナと通信するために、前記受信信号経路と送信信号経路のうちの１つをイネーブルにするための手段と
を備える、装置。
［Ｃ１３］
前記位相シフトするための手段は、９０度ハイブリッドカプラを備える、Ｃ１２に記載の装置。
［Ｃ１４］
前記位相シフトするための手段はさらに、接地に接続された第４の端子を備える、Ｃ１２に記載の装置。
［Ｃ１５］
前記イネーブルにするための手段は、送信動作をイネーブルにするために、前記受信信号経路を接地に結合するように構成された第１のスイッチを備える、Ｃ１２に記載の装置。
［Ｃ１６］
前記イネーブルにするための手段は、受信動作をイネーブルにするために、前記送信信号経路を接地に結合するように構成された第２のスイッチを備える、Ｃ１５に記載の装置。
［Ｃ１７］
前記第１および第２のスイッチは、第１および第２のスイッチ制御信号に基づいて動作するように構成される、Ｃ１６に記載の装置。
［Ｃ１８］
前記受信信号経路に結合された増幅するための手段をさらに備える、Ｃ１２に記載の装置。
［Ｃ１９］
前記送信信号経路に結合された増幅するための手段をさらに備える、Ｃ１２に記載の装置。
［Ｃ２０］
前記受信信号経路および前記送信信号経路は、ミリメートル波長周波数で動作するように構成される、Ｃ１２に記載の装置。
【図１】
0005922315.tif 000002
【図２】
0005922315.tif 000003
【図３】
0005922315.tif 000004
【図４】
0005922315.tif 000005
【図５】
0005922315.tif 000006